【手続補正書】
【提出日】平成17年8月11日(2005.8.11)
【手続補正１】
【補正対象書類名】明細書
【補正対象項目名】発明の名称
【補正方法】変更
【補正の内容】
【発明の名称】ズームレンズ及び撮像装置
【手続補正２】
【補正対象書類名】明細書
【補正対象項目名】特許請求の範囲
【補正方法】変更
【補正の内容】
【特許請求の範囲】
【請求項１】
物体側より順に、正の屈折力を有する第１群、負の屈折力を有する第２群、正の屈折力を有する第３群、正の屈折力を有する第４群を有し、広角端から望遠端に向けて変倍する際、第２群は像側に移動し、第３群は物体側に移動し、第４群は物体側に移動するものであって、第３群の最も像側のレンズは像面に対して凹面を向けた負レンズ、第４群の最も物体側のレンズは物体に対して凹面を向けた負レンズであることを特徴とするズームレンズ。
【請求項２】
物体側より順に、正の屈折力を有する第１群、負の屈折力を有する第２群、絞り、正の屈折力を有する第３群、正の屈折力を有する第４群を有し、広角端から望遠端に向けて変倍する際、第１群は光軸上に固定し、第２群は像側に移動し、絞りは光軸上に固定し、第３群は物体側に移動し、第４群は物体側に移動するものであって、第３群の最も像側のレンズは像面に対して凹面を向けた負レンズ、第４群の最も物体側のレンズは物体に対して凹面を向けた負レンズであることを特徴とするズームレンズ。
【請求項３】
第４群は、物体側より順に、負、正、正のレンズを有することを特徴とする請求項１又は２記載のズームレンズ。
【請求項４】
第４群は、物体側より順に、負、正のレンズからなることを特徴とする請求項３記載のズームレンズ。
【請求項５】
第２群は、物体側より順に、負、負、負、正、又は、負、負、正、負のレンズを有することを特徴とする請求項１又は２記載のズームレンズ。
【請求項６】
第４群は、物体側より順に、負、正、正、正のレンズからなることを特徴とする請求項１から５の何れか１項記載のズームレンズ。
【請求項７】
以下の条件の少なくとも何れか１つ、望ましくは何れか２つ、より望ましくは何れか３つ、最も望ましくは４つ全てを満足することを特徴とする請求項１から５の何れか１項記載のズームレンズ。
−０．９＜（ｒ4F＋ｒ3R）／（ｒ4F−ｒ3R）＜０．９      ・・・（１）
０．５＜（１／ｒ3R−１／ｒ4F）×ｆW ＜２．５          ・・・（２）
−３．７＜ｆ4F／ｆW ＜−１                            ・・・（３）
νd4F ＜４０                                          ・・・（４）
ただし、
ｒ3R：第３群の最も像側に配置された負レンズの像側の面の曲率半径
ｒ4F：第４群の最も物体側に配置された負レンズの物体側の面の曲率半径
ｆW ：広角端での全系の焦点距離
ｆ4F：第４群の最も物体側に配置された負レンズの焦点距離
νd4F ：第４群の最も物体側に配置された負レンズのアッベ数
である。
【請求項８】
以下の条件の少なくとも何れか１つ、望ましくは何れか２つ、最も望ましくは３つ全てを満足することを特徴とする請求項１から５の何れか１項記載のズームレンズ。
０．６＜ｚ3 ／ｆW ＜３                                ・・・（５）
０．３＜ｚ4 ／ｆW ＜２．５                            ・・・（６）
０．６＜Ｄs3W ／ｆW ＜３                              ・・・（７）
ただし、
ｚi （ｉは３，４）：第ｉ群の広角端から望遠端への移動量であって、像側から物体側に移動する場合を正符号とする
Ｄs3W ：広角端での絞りと第３群との間隔
である。
【請求項９】
物体側より順に、正の屈折力を有する第１群、負の屈折力を有する第２群、正の屈折力を有する第３群、正の屈折力を有する第４群を有し、第２群内の何れかの負レンズが以下の条件を満足することを特徴とするズームレンズ。
０．５９ <（ｎg −ｎF ）／（ｎF −ｎC ）              ・・・（８）
ただし、
ｎj （ｊはｇ，Ｆ，Ｃ）：該負レンスのｊラインでの屈折率
である。
【請求項１０】
第２群内の何れかの負レンズが以下の条件を満足することを特徴とする請求項１から５のズームレンズ。
０．５９ <（ｎg −ｎF ）／（ｎF −ｎC ）              ・・・（８）
ただし、
ｎj （ｊはｇ，Ｆ，Ｃ）：該負レンスのｊラインでの屈折率
である。
【請求項１１】
第３群ないし第４群内の何れかの正レンズが以下の条件を満足することを特徴とする請求項１から５の何れか１項記載のズームレンズ。
０．５９ <（ｎg −ｎF ）／（ｎF −ｎC ）              ・・・（９）
ただし、
ｎj （ｊはｇ，Ｆ，Ｃ）：該正レンスのｊラインでの屈折率
である。
【請求項１２】
第３群内の何れかの正レンズが以下の条件を満足することを特徴とする請求項１から５の何れか１項記載のズームレンズ。
０．５９ <（ｎg −ｎF ）／（ｎF −ｎC ）              ・・・（９）
ただし、
ｎj （ｊはｇ，Ｆ，Ｃ）：該正レンスのｊラインでの屈折率
である。
【請求項１３】
第４群でフォーカスを行うことを特徴とする請求項１から５の何れか１項記載のズームレンズ。
【請求項１４】
第３群内及び第４群内にそれぞれ非球面レンズを用いたことを特徴とする請求項１から５の何れか１項記載のズームレンズ。
【請求項１５】
光学ファインダー用の光路分割手段を第４群よりも像側に配置したことを特徴とする請求項１から５の何れか１項記載のズームレンズ。
【請求項１６】
第４群中に少なくとも１面の非球面を有し、該非球面は光軸から離れるに従って正の屈折力が小さくなるか、負の屈折力が大きくなることを特徴とする請求項１から５の何れか１項記載のズームレンズ。
【請求項１７】
物体側より順に、正の屈折力を有する第１群、負の屈折力を有する第２群、正の屈折力を有する第３群、正の屈折力を有する第４群を有し、第３群ないし第４群内の何れかの正レンズが以下の条件を満足することを特徴とするズームレンズ。
０．５９ <（ｎg −ｎF ）／（ｎF −ｎC ）              ・・・（９）
ただし、
ｎj （ｊはｇ，Ｆ，Ｃ）：該正レンスのｊラインでの屈折率
である。
【請求項１８】
請求項１から１７の何れか１項記載のズームレンズと、前記ズームレンズによって形成される物体像を受光する撮像素子と、前記物体像を表示する表示素子を有することを特徴とする撮像装置。
【手続補正３】
【補正対象書類名】明細書
【補正対象項目名】０００１
【補正方法】変更
【補正の内容】
【０００１】
【発明の属する技術分野】
本発明は、ズームレンズ及び撮像装置に関し、特に、ビデオカメラやスチルビデオカメラ等に適した広画角のズームレンズとそれを利用した撮像装置に関する。
【手続補正４】
【補正対象書類名】明細書
【補正対象項目名】０００５
【補正方法】変更
【補正の内容】
【０００５】
本発明は従来技術のこのような状況に鑑みてなされたものであり、その目的は、広画角で高変倍比であって、収差が良好に補正され、明るく、バックフォーカスの大きなズームレンズとそれを利用した撮像装置を提供することである。
【手続補正５】
【補正対象書類名】明細書
【補正対象項目名】０１１８
【補正方法】変更
【補正の内容】
【０１１８】
【発明の効果】
上述のように、本発明によれば、広画角であって高変倍比で、収差が良好に補正され、明るく、バックフォーカスの大きなズームレンズとそれを利用した撮像装置を提供することができる。